(57)【要約】【課題】本発明は、パワーショベルに関し、例えば、従来の軌陸両用のパワーショベルにおいては、作業上で、機体が作業負荷により不安定になることが課題であって、それを解決することである。【解決手段】機体にカウンターウエイトを有したパワーショベルにおいて、前記カウンターウエイト１ｂを作業負荷に対向させる方向に機体１ａから離間させる、離間手段１ｅが前記機体１ａに設けられているパワーショベル１とするものである。【選択図】図３
2017150246.tif 000002
【特許請求の範囲】
【請求項１】
機体にカウンターウエイトを有したパワーショベルにおいて、
前記カウンターウエイトを作業負荷に対向させる方向に機体から離間させる、離間手段が前記機体に設けられていること、
を特徴とするパワーショベル。
【請求項２】
パワーショベルは、移動装置として、地面若しくは一般道路上を走行するためのクローラ若しくは車輪の他に、線路走行用の車輪を備えている軌陸車であること、
を特徴とする請求項１に記載のパワーショベル。
【請求項３】
離間手段は、機体の運転室側を前方として、運転室の操作によって機体に設けられた伸縮駆動装置が伸縮駆動して、該伸縮駆動装置で機体の後方に伸縮するアームであること、
を特徴とする請求項１または２に記載のパワーショベル。
【発明の詳細な説明】
【技術分野】
【０００１】
本発明は、アタッチメントをアームに取り付けて各種の作業を行うパワーショベルであって、特に軌陸両用パワーショベルにおけるカウンターウエイトに関するものである。なお、パワーショベルは、その名称に関して、例えば、油圧ショベル、ユンボ、バックホー、ドラグショベルなどがあるが、これらを全て代表させて言う名称であって、いずれかを排除するものではない。以下同様とする。また、カウンターウエイトを有するクレーンも、発明適用対象に含まれるものである。
【背景技術】
【０００２】
従来、軌陸両用パワーショベル１には、図１（Ａ），（Ｂ）に示すように、機体１ａにブーム２，アーム３、アーム３の先端部の取り付けるアタッチメント（草刈り機、掘削用バケットなど）４、線路５上を走行するための車輪１ｃ、クローラ１ｄなどを装備し、更に、前記機体１ａの後部（図１に示す状態で運転室側を前とする）に、カウンターウエイト１ｂが設けられている。
【０００３】
前記車輪１ｃとクローラ１ｄを備えることで、軌陸両用のパワーショベルとなっており、前記カウンターウエイト１ｂは、前記アタッチメント４による各種作業において、作業負荷によって機体１ａが地面や線路から浮き上がらないように配慮されて、備えられている。
【０００４】
図２に示すように、線路５上での作業において、アーム３を機体１ａから遠くない場所に対して伸ばして移動させ、アタッチメント４で作業する場合には、特に問題はないが、図３に示すように、前記アーム３を機体１ａから遠方に一杯に伸ばして移動させ、アタッチメント４で作用する場合は、機体１ａが線路５から浮き上がるおそれがある。
【０００５】
そこで、前記機体１ａに設けられたカウンターウエイト１ｂを、バランスさせるように移動させることができれば便宜であるが、そのようなパワーショベル１は、見当たらない。わずかにカウンターウエイトに関しては、特許文献１に示すように、部品の整備上・交換上の課題でカウンターウエイトの取り外しが不要になるように、蝶番でカウンターウエイトを開閉させるものが知られているだけである。
【先行技術文献】
【特許文献】
【０００６】
【特許文献１】特開２００５−３０７７１５号公報
【発明の概要】
【発明が解決しようとする課題】
【０００７】
しかし、従来において、特に軌陸両用パワーショベルでは、線路５の幅が狭いので、線路方向に直交する方向では、作業中に機体１ａが浮き上がるおそれがある。本発明に係るパワーショベルは、このような課題を解決するために提案されたものである。
【課題を解決するための手段】
【０００８】
本発明に係るパワーショベルの上記課題を解決して目的を達成するための要旨は、機体にカウンターウエイトを有したパワーショベルにおいて、前記カウンターウエイトを作業負荷に対向させる方向に機体から離間させる、離間手段が前記機体に設けられていることである。
【０００９】
前記パワーショベルは、移動装置として、地面若しくは一般道路上を走行するためのクローラ若しくは車輪の他に、線路走行用の車輪を備えている軌陸車であることである。
【００１０】
また、前記離間手段は、機体の運転室側を前方として、運転室の操作によって機体に設けられた伸縮駆動装置が伸縮駆動して、該伸縮駆動装置で機体の後方に伸縮するアームであることを含むものである。
【発明の効果】
【００１１】
本発明のパワーショベルによれば、アームを遠くに伸ばしきったような状態で作業したり、作業負荷が大きい場合において作業したりすると、機体がクローラの長手方向に対して直交する短手方向に向いているときには、機体の中心からクローラ片側までの距離が短くなって、機体が不安定となって浮き上がるおそれがあるが、カウンターウエイトを機体から離間手段によって離間させ、バランスをとることで機体が安定するものである。
【００１２】
特に、パワーショベルが軌陸両用で、線路幅が狭い線路上の作業において機体のバランスをとる必要があり、そのような場合に特に効果を発揮するものである。また、離間手段を機体の運転室から操作できるので、作業性が良く、安全性が向上する、と言う優れた効果を奏するものである。
【図面の簡単な説明】
【００１３】
【図１】軌陸両用パワーショベル１の使用状態における側面図（Ａ）、正面図（Ｂ）である。
【図２】同軌陸両用のパワーショベル１の通常作業時の説明図である。
【図３】同軌陸両用パワーショベル１で、カウンターウエイト１ｂを離間手段１ｅで、作業負荷に対する機体１ａのバランスを取っている様子を示す説明図である。
【発明を実施するための形態】
【００１４】
本発明に係るパワーショベル１は、図１に示すように、カウンターウエイト１ｂ用の離間手段１ｅを設けたものである。
【実施例１】
【００１５】
軌陸両用のパワーショベル１で説明するが、軌陸両用で無い他の一般のパワーショベルにおいても、同じ機能を有するものである。また、アタッチメント４の交換によって、草刈、掘削、破砕、切断等、各種作業におけるパワーショベルに適用されるものである。また、カウンターウエイトを有するクレーンも、発明適用対象に含まれるものである。
【００１６】
前記パワーショベル１は、図３に示すように、機体１ａにカウンターウエイト１ｂを有したパワーショベルにおいて、前記カウンターウエイト１ｂを、作業負荷に対向させる方向に機体１ａから離間させる、離間手段１ｅが前記機体１ａに設けられている。
【００１７】
前記離間手段１ｅは、機体１ａの運転室側を前方として、運転室の操作によって機体１ａの後方に設けられる。その一例として、伸縮駆動装置が伸縮駆動する手段である。この伸縮装置の例としては、例えば、油圧シリンダーであり、伸縮するのはその油圧シリンダーを構成するシリンダーロッド（図示せず）等であり、更に、前記シリンダーロッドによって伸縮されるのはアームである。
【００１８】
離間手段１ｅを構成する一例として、機体１ａに設けられる前記伸縮駆動装置としてのシリンダーロッドと、機体１ａの後方に伸縮するアームとが設けられている。このアームは、機体１ａの上下位置において、第１アーム、第２アームがある。また、水平方向に２箇所以上に、それぞれの第１アーム、第２アームが設けられる。
【００１９】
前記それぞれの第１アーム、第２アームにおいて、リンク機構となって開閉自在に首尾連結された２本のバーが、拡開・縮退するものである。
【００２０】
前記２本のバーのうち、片側のバーの端部が機体１ａにピン等で連結され、他側のバーの端部がカウンターウエイト１ｂにピン等で連結されている。そして、前記片側のバーを前記伸縮駆動装置のシリンダーロッドで押し込んで、該片側のバーを拡開させると、他側のバーも拡開してカウンターウエイト１ｂを、機体１ａから離間させるものである。
【００２１】
前記離間手段１ｅは、要は、カウンターウエイト１ｂを、アタッチメント４の反対側で、作業負荷に対して機体１ａが浮き上がらないように、機体１ａから離間させてバランスをとる目的を達成できるものであれば、他の構成の手段でも良い。
【００２２】
他の例として、例えば、平行リンクで機体１ａにカウンターウエイト１ｂを取り付けて、油圧シリンダーで直接カウンターウエイト１ｂを押し込むようにしてもよい。また、スライド機構で、スライドレールの上を、機体を油圧シリンダーなどで後方へ摺動移動させるようにしてもよい。なお、駆動装置として前記油圧シリンダーを例に挙げて説明したが、これに限らず、手動操作で行っても良いのは勿論である。
【００２３】
このような、パワーショベル１であれば、図３に示す様な作業状態において、カウンターウエイト１ｂを離間手段１ｅで後方に離間させて、アタッチメント４に掛かる作業負荷に対して対向させ、機体１ａのバランスをとるものである。従来では、カウンターウエイト１ｂを装備していても、機体１ａと一体であり、バランスをとるためにカウンターウエイト１ｂを適宜に移動させることが不可能であった。本発明により、その不都合を解消したものである。
【産業上の利用可能性】
【００２４】
本発明に係るパワーショベル１は、軌陸両用のパワーショベルに限らず他のパワーショベルにも広く適用できるものである。また、パワーショベルに限らず、他の土木・建築用の作業機、例えば、クレーン等においても適用できるものである。
【符号の説明】
【００２５】
１          パワーショベル、              １ａ      機体、
１ｂ        カウンターウエイト、          １ｃ      車輪、
１ｄ        クローラ、                    １ｅ      離隔手段、
２          ブーム、
３          アーム、
４          アタッチメント（草刈機）、
５          線路、    
６          法面。
【図１】
2017150246.tif 000003
【図２】
2017150246.tif 000004
【図３】
2017150246.tif 000005